(57)【要約】【課題】街中に点在する駐車場の予約には、駐車場の予約管理事業体と、予約希望者とを結ぶアプリが重要である。ユーザから予約申し込みをうけて、目的地周辺で予約希望条件に合う駐車場を検索し、条件に合う駐車場を提示、予約開始までの車室の確保、予約に関する料金の設定法など、多くの課題があり、いまだ完全な予約システムは存在しない。本発明では、合理的に予約できる方法を提供する。 【解決手段】ユーザの駐車場予約は、予約申し込み時に条件に合う一つの駐車場に決めるのではなく、条件に合う複数の駐車場とそれらの予約待ち順位を決めておき、予約確定時刻に到達した時点で、最適条件の駐車場を予約駐車場として決定し、ユーザに連絡するとともに、その時点で駐車場の車室を確保する。【選択図】図１３
2017174184.tif 000002
【特許請求の範囲】
【請求項１】
駐車場の予約業務を行う予約管理事業体（以下予約サイト）と、多くの予約可能な駐車場の提供者（以下提供者）および提供駐車場と、予約に関する諸手続きを窓口として行うスマホなどの予約アプリ（以下予約アプリ）と、あらかじめ個人情報を提供して登録された多くの予約サイト登録者（以下登録者）から構成され、予約サイトは、契約をしたうえで提供者から対象となる駐車場に関する位置情報、駐車場特性などの諸データの提供を受けて予約駐車場として登録するデータベースを備え、該データベースの登録データから駐車場を予約希望の登録者に希望条件に合う駐車場を検索可能な情報として予約アプリに提供し、予約アプリは、予約希望者から目的地、予定駐車時間、予約確定時間、希望駐車場条件など申し込み情報をうけて、それを予約サイトに照会することにより、希望に合致する順に複数の予約駐車場候補を決定し、かつ他の予約希望者と重複する場合には申し込み順を予約待ち順位も決定し、予約希望者にアプリ上または通知メールなどで連絡し、予約確定希望時間になった時点で、予約アプリは、予約サイトに予約候補駐車場の空車室情報を問い合わせ、予約サイトは予約候補駐車場の空車室数を調査して、その結果を予約アプリに連絡し、予約アプリは、複数の予約候補駐車場の中から、優先順位の高い駐車場の順に、該予約候補駐車場の待ち順位を考慮しても空車室がある予約駐車場を予約駐車場として確定し、予約申込者に通知することを特徴とする駐車場の予約方法
【請求項２】
請求項１の駐車場の予約方法において、予約確定時間になった時点で予約駐車場を確定したあと、その駐車場の満空判断は予約中の駐車場を実際に駐車中として行ない、必要に応じて予約が確定した車室を物理的または視覚的表示によって確保するとともに、該駐車場を予約候補駐車場としている待ち順位が次の予約希望者の待ち順を一つ繰り上げることを特徴とする駐車場の予約方法
【請求項３】
予約候補駐車場の優先順位は、予約サイトあるいは予約アプリが自動的に決定し提案するのを標準とするが、予約希望者はその優先順位を変更すること、提案された予約候補駐車場の一部または全部を拒否して新たな予約候補駐車場の選定を要求すること、および予約確定時間については、標準として予定駐車開始時間を決めておくが、予約申込者の申請で変更することができるように自由度を持たせることにしたことを特徴とする駐車場の予約方法
【請求項４】
請求項１の駐車場の予約方法において、予約希望者が病気、身体障害者、高齢者など、社会的に優先すべきハンディキャップを持っている場合には、ハンディキャップの状態を証明する資料を提出し、登録許可を得ることによって、予約申し込み時には予約候補駐車場の待ち順位を予約申し込みの順番にかかわらず、高い順位にすることができるようにしたことを特徴とする駐車場の予約法
【請求項５】
請求項１の駐車場の予約法において、オークション制度を設け、オークション形式での予約申し込みをすれば、希望条件に合致する順位の高い予約候補駐車場およびその待ち順位を、オークションによって獲得できるようにしたことを特徴とする駐車場の予約方法
【請求項６】
請求項１の駐車場の予約法において、予約確定時間において、希望順位の高い予約候補駐車場の予約を確定できない場合に、あらかじめ決める回数以下で予約確定時間を延長できることを特長とする駐車場の予約方法
【発明の詳細な説明】
【技術分野】
【０００１】
本発明は、駐車場の予約方法に関する。
【背景技術】
【０００２】
市中に多くの駐車場が設置されているが、業務、買い物、イベント等に便利な駐車場は、稼働率が高い。特に業務やイベントなどで時間が決まっている時に、目的地近くで空き駐車場がないと、焦って事故を起こしかねないし、時間に遅れてしまうことなどは、しばしば起こることである。したがって、もし、目的地に近く便利な駐車場をあらかじめ予約できるなら、利用者にとって大変便利である。
【０００３】
このような駐車場の予約システムに関しては、駐車場の探索方法と予約の方法、現場での予約車の識別法、予約車室の確保法などが、既に多くの特許文献で開示されている。
【０００４】
たとえば、特許文献１から１０には、目的地近くの空き駐車場を探索し、予約するシステムが開示されている。これらは、予約サイトにパソコンやスマホなどからアクセスし、提案された駐車場を予約、予約コード等の発行を受けるといったいろいろな方法が示されている。
【０００５】
特許文献１１と１２には、予約された車室を確保するため、他車が入庫するのを阻止する装置が示されている。
【０００６】
また、特許文献１３から１９には、予約車が駐車場に到着した後、予約車であることを確認し、入庫阻止装置を解除するシステムが示されている。
【０００７】
さらに特許文献２１には、一旦予約した駐車場の予約を変更したり、キャンセルしたりする場合の清算法が、また特許文献２２では、利用者が目的地に近づいてきたとき、もしより便利な駐車場があればそちらに予約場所を変更する仕組みが開示されている。特許文献２３には、月極駐車場などの空き時間を貸し出すシステムにおいて、空き時間を正確に把握するため、貸し出し側の登録車の位置情報を検知して、遠方にいるときは、長い時間戻ってくることがないと判断し、その時間帯を他車に貸し出すといったシステムも開示されている。
【０００８】
しかし、これらの特許文献では、予約駐車場の検索によって予約を実行した後、どのように駐車場の空き室を確保するかについて、合理的な方法が示されていない。また、予約は予約申し込み時に検索した駐車場に駐車することを保証するものであるが、予約時には満車のため、予約ができなかった駐車場に到着時間帯に空きスペースができた場合に、実際の駐車場に切り替えるような仕組みは、特許文献２４には開示されているものの、合理的な切り替え法は示されていない。
【先行技術文献】
【特許文献】
【０００９】
【特許文献１】特開２００４−２６４９３４
【特許文献２】特開２００９−９３４９２
【特許文献３】特開２０１２−２１５９２３
【特許文献４】特開２００５−３１７６７
【特許文献５】特開Ｈ１０−１２２８８６
【特許文献６】特開２００４−２８０２４２
【特許文献７】特開２０１０−７９５５１
【特許文献８】特開２００９−２３７９００
【特許文献９】特開２００２−１９７２０８
【特許文献１０】特開Ｈ０５−２８５４１
【特許文献１１】特開平１０−２０８１９７
【特許文献１２】特開２００９−２２３７２１
【特許文献１３】特開２００９−０２１５１９
【特許文献１４】特開２００６−１７２１１４
【特許文献１５】特開２００１−２０９８９６
【特許文献１６】特開２００８−２４２５５５
【特許文献１７】特開２０１０−１０８２４０
【特許文献１８】特開２００１−６７５０２
【特許文献１９】特開Ｈ１０−０７８３３１
【特許文献２０】特開２００４−２９５８０４
【特許文献２１】特開２０１５−１１４８４０
【特許文献２２】特開２０１５−１５３３９７
【特許文献２３】特開２０１６−１４９３５
【特許文献２４】特開２００５−３１７６７５
【特許文献２５】特開２００９−２２１７１２
【特許文献２６】特開２０１０−２２５００４
【発明の概要】
【発明が解決しようとする課題】
【００１０】
本発明は、特に駐車場の予約車室を合理的に確保する方法を提供するものである。
【００１１】
すなわち、上記特許文献には、予約駐車場の車室の確保方法に関して、予約受け付けと同時に車室を確保する方法が記載されているが、予約が駐車予定時間よりずっと前のたとえば前日になされたような場合、どの時点で予約の車室を確保するのかといった問題や、不必要に長時間車室を確保する場合、車室確保時間を駐車料金として請求することは、予約者に過大な課金をすることになるといった欠点がある。
【００１２】
また、予約利用者の利便のために、一定額の予約料金のみを課金するようにすると、駐車予定時刻までの長い時間車室を入庫阻止にすることによって、駐車場の回転率が減少し、経営者にとっては、収入減になるといった欠点が生じる。
【００１３】
本発明は、このような欠点を排除した合理的な予約車室の確保法を提供するものである。
【課題を解決するための手段】
【００１４】
本発明の駐車場の予約法においては、予約申し込み時には、希望条件に合う複数の予約候補駐車場を優先順位と予約待ちの順番もつけて受付するにとどめ、実際の駐車開始予定時間のＸ時間前の時点、すなわち予約駐車場確定時点で、優先順位の高い駐車場から順に、その時点での空車室状態と予約待ち順を考慮して空車室のある駐車場に予約を確定することにした（請求項１）
【００１５】
また、予約駐車場が確定した時点で、該駐車場では車室確保手段を実行し、満空の判断は、予約車室を駐車中とする扱いで行うこととし、同時にそれ以降の該予約候補駐車場の予約者の待ち順位を繰り上げ、予約車が新たな待ち順位を確認できるようにした（請求項２）。
【００１６】
予約候補駐車場の優先順位は、予約サイトあるいは予約アプリが自動的に検索し、提案するのを標準とするが、予約希望者がその優先順位を変更すること、提案された予約候補駐車場を拒否して新たな予約候補駐車場の選定を要求すること、および予約確定時間については、標準として予定駐車開始時間の２時間前程度と決めておくが、予約申込者の申請で変更することができるように自由度を持たせることにした（請求項３）。
【００１７】
予約候補駐車場の待ち順位は、予定駐車時間帯が先約者と重なっているときには、申し込み順とするのを標準とするが、病気、身体の障害、高齢者などハンディキャップのある人に対しては、予約サイトに利用者登録をするにあたって、ハンディキャップの状態を証明する資料を提出し、許可を得ることによって、予約申し込み時には予約候補駐車場の待ち順位を高い順位にすることができるようにした（請求項４）。
【００１８】
さらに、本発明の予約方法においては、オークション制度を設け、オークション形式での予約申し込みをすれば、予約候補駐車場の待ち順位に関して、高い待ち順位を買うことができるようにした（請求項５）。
【００１９】
さらに、本発明の予約方法では、予約確定時間において、希望順位の高い予約候補駐車場の待ち順位が悪くて該駐車場の予約を確定できない場合には、予約確定時間の延長を申請できるようにした（請求項６）。
【発明の効果】
【００２０】
本方法によれば、駐車場の予約者にとっては、目的地の近傍に有利な駐車場を確保できる可能性が格段に高まり、駐車場の経営者にとっては、予約者のために長時間予約車室を確保しておくために駐車場の稼働率を下げるような欠点を防止できる効果がある。
【図面の簡単な説明】
【００２１】
【図１】は、本発明の予約方法を実施する駐車場予約システムの構成を示す図である。
【図２】は、本発明の駐車場予約方法の全体の流れを示す図である。
【図３】は、本発明の駐車場予約サイトが、予約駐車場の提供者との間で契約を結ぶ際に、提供者に求める提供者情報としてのデータファイルの例を示す図である。
【図４】は、本発明の駐車場の予約方法を利用したい利用者に対して、駐車場予約サイトが登録を求める個人情報としてのデータファイルの例を示す図である。
【図５】は、本発明の駐車場予約サイトが具備する代表的なデータベースとそれらのファイル名を示す図である。
【図６】は、本発明の駐車場予約サイトの機能を示す図である。
【図７】は、本発明の予約申し込みや、決定連絡などの窓口になる予約アプリの機能を示す図である。
【図８】は、本発明の予約申し込みに関するデータファイルを示す図である。
【図９】は、本発明で、駐車場の予約を申し込んだ際に、目的に周辺で提案される駐車場候補の表示例を示す図である
【図１０】は、本発明で予約駐車場の一つにおいて、予約の申し込みと、予定駐車時間の関係を示した図である。
【図１１】は、本発明で、予約を申し込む場合において、予約時に案内される候補予約駐車場に関して、申込者の待ち順位を決める方法を説明する図である。
【図１２】は、本発明で申し込み時に決定される予約駐車場情報のデータファイルを示す図である。
【図１３】は、本発明で予約駐車場を決定する方法のフロー図を示す。
【図１４】は、本発明で駐車場の予約が決定された時の予約駐車場のデータファイルを示す図である。
【発明を実施するための形態】
【実施例１】
【００２２】
図１は、駐車場を予約できる駐車場予約システムの構成図を示す。本システムは、駐車場の予約業務に係る主要な仕事をつかさどる予約管理事業体（以下予約サイト）と、予約できる駐車場を提供する駐車場経営者（ファイル名PKOR(ｎ)）および実際の複数の駐車場（ファイル名PK(ｍ)）と、予約駐車場を利用したい登録利用者（ファイル名UR(ｉ)）と、利用者から予約申し込みを受け、予約サイトとの交信により得られた複数の予約候補駐車場を利用者に回答し、かつ最終予約駐車場を決定する利用者アプリとから構成される。
【００２３】
図２は、本発明で利用者アプリを通じて、利用者が駐車場の予約を申し込み、予約を決定し、予約駐車場に到着するまでのプロセスの概略を示したものである。利用者は予約アプリにアクセスし、予約アプリが表示する予約メニューに従って、目的地や駐車日時、駐車開始予定時間、駐車料金などに関する予約希望条件を入力して予約を申し込む。予約アプリは、申し込まれた予約希望条件を予約サイトに照会する。予約サイトは所有する駐車場に関するデータベースから予約希望条件に合致する複数の予約候補駐車場を抽出し、後述する予約優先順位決定アルゴリズムにより待ち順位をつけて、予約アプリに回答する。予約アプリは、予約サイトからの回答を利用者に照会し、予約受付を完了する。なお、予約候補の抽出は、予約サイトのデータを使って、予約アプリが行ってもよい。
【００２４】
予約サイトは、駐車場経営者らと契約し、予約事業のため駐車場を確保するともに、その駐車場に関する特性をデータとして予約サイトのデータベースに保存しておかなければならない。図３は、予約できる駐車場に関するデータの例を示したものである。データ内容には、駐車場名、所在地、オーナーあるいは運営会社名、代表者名、電話、メールなど連絡先、車室数、ゲート式あるいは個別車室式、屋根付き、立体駐車場などの特徴、開設年月日、振込口座名等が含まれる。
【００２５】
予約サイトに、予約アプリからの予約照会が来た場合、上記のような駐車場に関するデータを参照に、予約希望条件に合致する駐車場を抽出する。実際に予約が確定した場合には、予約サイトは、利用者から受け取る予約料金から、予約に係る手数料を差し引いて、駐車場オーナーに振込をすることが出来る。
【００２６】
駐車場を予約したい利用者は、あらかじめ予約アプリあるいは文書を通じて、予約サイトに利用者登録をしておかなければならない。図４は、そのような利用者の登録内容の例を示したものである。データには、氏名、生年月日、住所、連絡先（電話、ＦＡＸ，メールなど）、マイナンバー、クレジットあるいは銀行口座名等の個人情報と、登録日、会員番号なども含まれ、予約サイトのデータベースに保存される。
【００２７】
予約サイトは、上述の駐車場に関するデータ、利用者に関するデータに加えて、常時予約業務を行うためのプログラムと、予約に関するデータファイルを用意する必要がある。図５は、個々の予約に関するデータファイルの内容（例）を示すものである。予約アプリからの、予約申し込みに関するデータとして、予約受付情報ファイル  ＲＶＯ（ｊ）が作られる。これには、申込者名ＵＲ（ｉ）、申し込み日時、目的地あるいは施設名  ＬＣＯ（ｊ）、予約希望条件  ＣＤＯ（ｊ）、駐車開始予定時間、駐車時間、駐車場確保時間などの駐車予定時間情報ＴＭＯ（ｊ）などが含まれる。
【００２８】
次に、予約申し込みを受けた後、予約サイトは、駐車場のデータベースを参照して、複数の予約候補駐車場を、その駐車場に先約がある場合を調べた上で予約待ち順位を付けた予約候補駐車場情報  ＲＶＣ（ｊ）を作成する。その内容には、複数の予約候補駐車場名と、その駐車場の待ち順位を付けたデータファイル  ＹＰＫ（ｊ、ｋ）、目的地情報、申込者情報などが含まれる。最後に駐車予定時間のＸ時間前にその時点の空車室情報をもとに決定する予約確定駐車場情報  ＲＳＤ（ｊ）を作成する。このデータファイルは、申込者情報  ＵＲ（ｉ）、予約が確定した駐車場  ＰＫ（ｊ）、目的地情報ＬＣＯ（ｊ），駐車予定時間情報ＴＭＯ（ｊ）などが含まれる。
【００２９】
上記の方法では、予約受付時、予約候補駐車場決定時、予約駐車場確定時の３つのファイルを独立して作成する例を示したが、一つのデータファイルとしてその都度追加、あるいは書きかえるようにしてもよい。
【００３０】
予約サイトは、予約確定時に各駐車場の時々刻々と変化する空車室の数を自動的に調べられるようにしておかなければならない。このため、予約サイトから、予約候補駐車場の空車室数を入手する通信手段を確保しておく。
【００３１】
予約アプリは、利用者と予約サイトの橋渡しをして、利用者に最適な予約駐車場を決定する窓口である。予約アプリは、図６に示すような機能を持っている。すなわち、スマホ、タブレット、パソコンなどの画面に、利用者が駐車場を予約するのに便利な予約入力画面を表示する。予約入力画面には、駐車目的地（住所）、施設名、電話番号などのほか、希望する駐車場の条件、たとえばゲート式駐車場や屋根付き駐車場といった駐車場の特徴を選ぶ画面、駐車開始や予定時間などを入力する画面、駐車料金や料金支払い法に関するデータを入力する画面が用意される。
【００３２】
利用者からの駐車場予約申し込みに対して、利用者が登録会員かどうかを判別し、登録会員に限って、予約入力が可能になるようにしておく。未登録者には、利用登録をする画面も用意してある。
【００３３】
予約アプリは、登録会員からの予約申し込み情報を、予約サイトに照会する。図７は、予約サイトの機能を示す図である。予約サイトは、後述する予約駐車場抽出プログラムを用いて、希望する条件に合致した複数の予約候補駐車場を抽出し、重複予約があるかどうかを調べて待ち順位を付けたうえで、予約アプリに複数の予約候補駐車場  ＹＰＫ（ｓ．ｋ）を回答する。ここで、ｓは１，２，３など希望にマッチングする順位を示し、ｋは  その駐車場の予約待ち順位を示す。
【００３４】
予約アプリは、図６に示すように連絡を受けた予約候補駐車場の情報を、申込者に通知送信する。そして、利用者からの承認、または希望条件変更の返信を受けて、予約受付を完了するか、やり直すかの操作を行う。最終的には、以上の方法で、複数の予約候補駐車場と待ち順位を決定し、利用者の承認を得る。
【００３５】
本発明では、予約受付時には、希望条件に合致する順に複数の駐車場候補を決めるにとどめるのが特徴である。予約申し込みは、前日に行う場合も想定される。申し込み時点で、予約駐車場を決めてしまうと、確実に駐車場を確保するタイミングが問題になる。駐車開始予定時間のずっと前に、駐車用の車室を確保すると、確保時間を駐車時間として料金を課金するにしても、稼働率の高い駐車場では、駐車機会損失のため駐車場の減収につながる。
【００３６】
駐車開始予定時間に近づくまで車室の確保を行わないと、利用者到着時に駐車場に空き車室がないというケースが起こりうる。このような問題を解決するために、本発明の駐車場予約法では、予約サイトがあらかじめ複数の駐車場を候補として用意しておく。そうすることによって、第１候補駐車場に空きがないときには、第２以下の候補駐車場に駐車車室を確保する。このような方法で、駐車場の予約を確保できる可能性が格段に増す利点がある。
【００３７】
本発明の駐車場予約法の特長は、予約申し込み時に、予約駐車場の車室を確保する時点を申請することにした点である。本発明ではこれを駐車開始予定時間のＸ時間前とした。Ｘ時間を数時間前にとれば、稼働率の高い駐車場では、貴重な時間を予約車数だけ無駄に確保しておくことになって、駐車場の減収になり、予約利用者にとっては、車室確保時間を駐車時間として駐車料金に加算されることになり、不経済である。
【００３８】
駐車場の確保を優先するか、それとも予約に係る料金を節約することにするのかで、Ｘ時間は長く申請したり、短く申請したりできることになる。短く申請すれば、第１希望の駐車場に予約が決まらないというリスクが増す。もちろん標準として、Ｘ時間を１時間ないし２時間と設定しておくこともできる。
【００３９】
さて、予約アプリは、予約申し込み時に申請されるＸ時間によって、駐車開始予定時間のＸ時間前、すなわち予約確定時間になったら、予約駐車場の確定に入る。予約アプリから、予約サイトへの要求によって、予約サイトは、図７に示すようにその時点の予約候補駐車場第１位（ｓ＝１）の駐車場の空車室数の情報を調査し、空車室がある場合でも、他に待ち順位の高い予約者がいる場合は、空車室数から待ち順位の高い予約者の分を差し引いてかつ空車室がある場合に、その駐車場を予約駐車場として確定し、予約アプリのその情報を提供する。
【００４０】
第１候補に空車室がない場合は、第２候補以下の駐車場の空室情報を入手し、上記と同じ方法で空きがあればそれを予約駐車場として確定する。このように順次下位の候補まで空車車室を調査するので予約駐車場を確定できる可能性は非常に大きい。
【００４１】
確定後、予約アプリは予約利用者に予約駐車場が決定したことを通知し、必要に応じてナビで予約駐車場までの案内を行う。このような予約駐車場決定のプログラム（フロー）については、後述する。
【００４２】
予約アプリは、予約利用者が駐車場に到着した時点で、利用者からの到着確認を行う必要がある。このために、利用者に到着を連絡するように催促あるいは警告する通知メールを送信する機能も持たせてある。
【００４３】
さて、利用者が予約アプリ上で申し込みをする際に、入力するデータの例を、図８に示す。データは、申込者の会員登録情報ＵＲ（ｉ）、申し込み日時に加えて、駐車予定年月日  ＹＭＤ、駐車開始予定時間Ｔ、駐車終了時間Ｅ、予約確定時間Ｘの４つのデータから構成される駐車予定時間情報ファイルＴＭＯ（ｉ）である。申し込み条件として、ゲート式か個別式かの区別、屋根付きか否かの区別、駐車場規模、予約及び駐車料金、目的地からの距離などで構成されるファイルＣＤＯ（ｉ），目的地に関するデータとして、目的地の住所、電話番号、施設名などのデータからなるファイルＬＣＯ（ｉ）、およびこれらを統合したファイルＲＶＯ（ｉ）を用意する。予約候補駐車場の抽出に、これらのデータファイルが参照される。
【００４４】
予約アプリを使って、利用者Ａが駐車場の予約を申し込むと、希望条件ファイルＣＤＯ（ｉ）を参照して、予約サイトは予約候補駐車場を一例として５か所抽出し、予約アプリ上で地図上に、図９で示すように範囲Ａ内にＡ１〜Ａ５として表示される。予約は随時受け付けるので、同じころＡと近接した目的地に予約を申し込んだ他の利用者Ｂの予約候補駐車場も、実際には点線Ｂの範囲でＢ１からＢ５が抽出される。Ａ，Ｂから離れた目的地を予約申し込みした申込者Ｃは、Ｃ１からＣ５が抽出される。
【００４５】
このような場合、申込者のＡ，ＢとＣとの間には、重複はないが、ＡとＢの間では、同じ駐車場のＡ３/Ｂ１や、Ａ５/Ｂ３が予約候補駐車場として抽出され、しかも駐車予定時間帯も重なっている場合が起こりうる。本発明の予約法では、このような場合に、予約候補駐車場の待ち順位を決めておくことが特徴である。
【００４６】
図１０は、申込者がある候補駐車場に申し込みが重複する場合で、予約の申し込みとしては、翌日までを受け付ける場合を例として示している。横軸は時間の経過を示し、縦軸は下方に予約申し入れの時刻と順番を示す。各予約申し込み者の駐車予定時間は図中に横線で示してある。
【００４７】
今、当日のＥ時点で、利用者Ｅが予約を申し込んだとすると、Ｅより前に利用者Ａ、Ｂ，Ｃ，Ｄが予約を申し込んでおり、そのうちＡとＣはすでに駐車中であるから予約の待ち順決定には関与しない。そして、申込者Ｅが駐車を確定してほしいとした時刻は、先約ＢとＤの予約を確定してほしいとした時刻より早い。しかし、駐車予定時間帯は、先約のＢとＤと重複するので、申込者のこの駐車場の予約待ち順位は３位である。
【００４８】
図１１も、予約待ち順位の決定法の別の例を示す。予約時間帯を示す横棒は、図中の拡大図で示すように、予約確定希望時間Ｘ，駐車開始予定時間Ｔ，駐車終了予定時間Ｅを示している。予約待ち順位の決定は、ＸからＥまでの時間帯の重複を考慮し、重複があった場合には、先に予約申込みをした利用者の待ち順位が高く（良く）する。
【００４９】
具体例を示すと、Ｔ１時点で申し込をしたＤは、予約確定希望時刻ＸＤ時点が先約Ｂの予約確定希望時刻のＸＢ時刻より先であるが、駐車予定時間帯がＢと重複するので、待ち順位は、Ｂが一位、Ｄが２位である。Ｔ２時点で翌日の午前中に予約申し込をした利用者Ｉは，  それより早く翌日の申し込みをしたＦやＨと、駐車予定時間の重複がないので、予約待ち順位は一位である。
【００５０】
申し込み者Eは、予約確定希望時間がDより早いが、先に申し込みをしているBおよびDと、重複しているので、待ち順位は３位となる。申し込み者Gについては、XG時点でBやDと一部重なっているように見えるが、BやDはすでに駐車中であるから、予約の待ち順位は１位である。
以上のようなロジックで申し込み時点での同一駐車場の予約の待ち順位が決められる。
【００５１】
そして、この時点で作成される予約のデータは、図１２のようなものになる。すなわち、全体をまとめたファイルＲＶＣ（ｉ）と、その中に含まれるデータとして、受け付け番号、受け付け年月日時刻ＵＴ（ｉ）、申し込み者情報ＵＲ（ｉ）、駐車予定時間情報ＴＭＯ（ｉ）、および  予約候補駐車場とその待ち順位を示す  ＹＰＫ（ｓ１、ｋ１）からＹＰＫ（ｓ５、ｋ５）などである。このデータは、予約アプリと予約サイトに保存される。
【００５２】
次に、駐車場の空車室数を考慮した予約確定作業について説明する。各予約申込者について予約確定時刻Ｘになった時、予約アプリが予約確定を始める。図１３に予約確定プログラムのフローを示す。まず、予約受付ファイルの中の予約予定時間ＴＭＯ（ｉ）の中にある、Ｘ時刻を監視していて、現時刻がこのＸ時刻に達したら、予約アプリは予約サイトに予約候補駐車場ＹＰＫ（１、ｋ１）の空車室情報を問い合わせる。ｋ１は待ち順位を示すので、もしその駐車場の空き車室数がｋ１より多ければ、その駐車場は予約確定駐車場となる。
【００５３】
たとえば、予約待ち順位ｋ１が３位で、空車室数が２しかない場合は、この駐車場は予約が許されない。したがて、２番目の予約候補駐車場ＹＰＫ（２，ｋ２）の空車室宇数を問い合わせる。ここでも、その時刻での空車室数がｋ２より少なければ、予約は確定できず、次の第３候補の駐車場を調べに行く。このような方法で、空車室数が待ち順位より多い駐車場が見つかったところで、予約駐車場が確定する。そして、ｓ番目の候補で確定した場合は、予約駐車場は、ＰＫ（ｓ）となる。
【００５４】
以上の例では、予約候補駐車場を５つ設定するケースを説明したが、候補の数は、少ないと予約確定できない確率が増える。多くしておけば、どこかで予約が確定できる確率は高くなる。候補数は５を標準として、希望によっては、その数を変更できるようにしておくこともできる。
【００５５】
もし、最後の候補でも予約駐車場が確定できなかった場合は、Ｘ時刻を５ないし１０分遅らせて、最初から空車室を調べながら予約の確定作業を再開することも可能である。Ｘ時点で、あいにく空車室数が足りなかったとしても、時間が経過すれば、空車室が出る可能性はあるので、たとえば、２回だけはＸ時間を延長するようなプログラムにすることもできる。
【００５６】
以上のような方法で、予約駐車場が決まった後は、予約アプリは申し込み者に決定した駐車場を通知メールなどで連絡するとともに、予約確定ファイルＲＶＤ（ｉ）を作成する。図１４は、予約確定ファイル  ＲＶＤ（ｉ）の内容を示したもので、受け付け番号ＵＮ（ｉ）、受け付け年月日・時刻ＵＴ（ｉ）、申し込み者情報ＵＲ（ｉ）、駐車予定時間に関する情報ＴＭＯ（ｉ）、および予約が確定した駐車場名ＰＫ（ｓ）が含まれる。そして、このファイルが、申し込み者の利用経歴データとしても活用される。
【００５７】
なお、この説明書では、申し込み時、予約候補確定時  および予約確定時の３つのファイルを作成することを述べたが、これらを一つのデータファイルとして保存する方法でもよいことは勿論である。
【００５８】
予約確定後は、その駐車場では、車室の確保に入る。確保の方法は、車室への侵入阻止装置の作動、車室後方に予約中の表示を明示する方法などである。駐車場の満空表示は、予約車を実際に駐車中とみなして、満空判定を行う。
また、予約駐車場が確定した後は、該駐車場を候補としている待ち順位が次の予約希望者の待ち順位を一つ上げておくよう、ファイルＹＰＫ（ｓ，ｋ）の順位ｋを改定する。
【００５９】
最後に予約車が予約駐車場に到着した後は、予約アプリに到着確認の連絡をする。この到着連絡を持って、予約車室は、予約状態から駐車状態に移る。また、駐車料金の支払いは、予約のために確保していた時間を含めてその駐車場の精算機で清算する。予約に係る費用、すなわち予約手数料は、予約サイトに振込みされる。その中の一定の割合が駐車場の経営者にも分配されるように契約をしておいてもよい。
【００６０】
最後に、駐車場を予約して駐車した利用者が、予定駐車時間を超えて駐車している場合は、該駐車場は、一車室が駐車中の扱いになるだけで、予約者以外が駐車しているのと変わらない。すなわち、予約の違反行為にはならない。また、予定時間より早く駐車場を去る場合も、退出した後は、空車室が一つ増えるだけで、違反行為とはならない。
【実施例２】
【００６１】
実施例１では、新たな予約希望者に示された予約候補駐車場に、先約の予約希望者があり、かつ駐車予定時間帯が重なっているときは、待ち順位下げる方法をとった。実施例２は、待ち順位の決定法に、特例を設ける方法を設けた場合について説明する。
【００６２】
特例とは、どうしても優先的に駐車させる事情のある利用者で、例えば、病気で目的地のすぐ近傍で駐車場を使いたい場合、身体障害者や高齢者のように駐車場から目的地までの移動が容易でない場合など、社会的に認められるハンディキャップのある人の場合は、予約サイトに利用者登録する際に、予約サイトが決める特例優先予約者の認定を受けておくと、予約候補駐車場に先約者との重複がある場合でも待ち順位を高くできるようにする方法である。
【００６３】
このような予約者が出た場合には、該駐車場を予約候補駐車場として待ち順位が決定していたすべての予約希望者の待ち順位を一つづつ下げ、特例優先予約者の待ち順位を最高に設定する。
【実施例３】
【００６４】
本発明では、予約候補駐車場の待ち順位を、オークションで獲得する方法も可能とする。すなわち、希望条件に合う第一位、第２位などの予約候補駐車場について、先約で待ち順位が高い予約がある場合でも、既定の予約料金を超える予約料金を払って、待ち順位を買うことを可能にする。
【００６５】
この場合は、駐車場の予約の手続きは、通常の予約法と同じであるが、予約申し込み時に決定される予約候補駐車場のうち、優先順位の高い予約候補駐車場の待ち順位が悪い場合に、高い待ち順位になるよう、オークション方式の予約法で予約申請をする方法を設けた。
【００６６】
このような予約サイトの予約駐車場待ち順位の決定法には、オークション方式があることを明記しておき、少なくとも、通常の予約料金の数倍の予約料金を支払ってでも、優先的に高い待ち順位を買う方法を可能とした。
【００６７】
オークションは、予約申し込みの際に最低限度の何倍かの予約料金で待ち順位を買うのかを申請する。そのあとのオークション方式の申込者がより高い予約料金で予約を申し込んだ場合は、自動的に待ち順位は下がることになる。オークションが決定した場合には、通常の予約者の待ち順位は、現状よりひとつづつ下がることになる。
この方法は、便利な駐車場の確保を望む利用者にとってはメリットとなるほか、高い予約料金を得られるため、駐車場の経営者にとっても好ましい予約方法である。
【実施例４】
【００６８】
実施例１，２，３では、予約確定時間になったら、順位の高い予約候補駐車場の中から現場の車室に待ち順を考慮しても空きがある場合に、その駐車場を予約駐車場として確定する方法をとったが、予約希望者が、優先順位の高い駐車場の予約をどうしても確定したい方法として、予約確定時間を後ろにずらす方法がある。
【００６９】
駐車場の現場は、数１０分単位で常に駐車、退出が繰り返されているので、予約確定時間にたまたま、空車室がなかった場合でも、少し時間を遅らせば、空車室ができる場合がある。したがって、希望順位の低い駐車場を予約駐車場として確定するのを避けて、しばらく時間をおいて、予約確定作業に入ることで、希望順位の高い駐車場に予約確定できる可能性がある。
【００７０】
しかし、無制限に何回でも予約確定時間を後ろにずらすのは、予約サイトや予約アプリのデータ処理回数を増やすことになるので、予約サイトが決める回数たとえば一回だけ延長を認めるようにしておく。
【００７１】
この方法は、希望順位の高い駐車場を予約できる可能性が高くなるが、駐車場が混雑する時間帯では、希望順位の低い駐車場の予約も確定できないといったリスクもあるので、予約希望者の判断で、予約確定時間の変更を申請すればよい。
【産業上の利用可能性】
【００７２】
以上述べたように本発明は、駐車場の利用者と経営者双方にとって、便利で簡便な駐車場の予約システムを提供できる。本発明の予約システムは、広く利用されるので、産業上大きな意義がある。
【符号の説明】
【００７３】
ＰＫＯＲ（ｊ）  駐車場経営者情報、        ＰＫ（ｊ）      駐車場情報  
ＵＲ（ｊ）    予約者（登録者）情報、      ＲＶＯ（ｊ）  予約受付情報、      
ＬＣＯ（ｊ）  目的地情報、                ＣＤＯ（ｊ）  希望駐車場条件、    
ＴＭＯ（ｊ）  駐車予定時間情報            ＲＶＣ（ｊ）  予約候補駐車場情報、
ＹＰＫ（ｓ、ｋ）  予約候補駐車場と待ち順位
ＲＶＤ（ｊ）  予約決定情報、    
ＹＭＤ    駐車予定年月日、    Ｔ    駐車開始予定時間、    Ｅ  駐車終了予定時間
Ｘ    予約確定希望時間、  
ＵＫ（ｊ）  受け付け番号、                  ＵＴ（ｊ）  受け付け年月日・時刻
【図１】
2017174184.tif 000003
【図２】
2017174184.tif 000004
【図３】
2017174184.tif 000005
【図４】
2017174184.tif 000006
【図５】
2017174184.tif 000007
【図６】
2017174184.tif 000008
【図７】
2017174184.tif 000009
【図８】
2017174184.tif 000010
【図９】
2017174184.tif 000011
【図１０】
2017174184.tif 000012
【図１１】
2017174184.tif 000013
【図１２】
2017174184.tif 000014
【図１３】
2017174184.tif 000015
【図１４】
2017174184.tif 000016